(57)【要約】      （修正有）【課題】照明用機器を制御するための制御信号を無線通信する際の待機回数が少ないうえに待機時間が短く、照明用機器の制御開始から完了までの時間が短い照明制御システムを提供する。【解決手段】制御指令信号に、識別符号を付して所要周波数の第１のキャリアで無線送信する双方向通信可能の親側無線通信部を有する制御局２と、この親側無線通信部から制御指令信号を受信する双方向通信可能の子側無線通信部、この子側無線通信部により受信した制御指令信号の識別符号が自局宛であるか否かを識別し、自局宛であると判断したときには、受信した制御指令信号に従って照明用機器を制御し、自局宛でないと判断したときには、受信した制御指令信号を前記子側無線通信部から第１キャリアｆ１の周波数とは相違する第２のキャリアｆ２により他の子局へ無線送信させる制御部を有する子局４ａ〜４ｎと、を具備している。【選択図】  図１
2006238371.tif 000002
【特許請求の範囲】
【請求項１】
照明用機器を制御するための制御指令信号に、その照明用機器を特定するための識別符号を付して所要周波数の第１のキャリアで無線送信する双方向通信可能の親側無線通信部を有する制御局と、
この親側無線通信部から制御指令信号を受信する双方向通信可能の子側無線通信部、この子側無線通信部により受信した制御指令信号の識別符号が自局宛であるか否かを識別し、自局宛であると判断したときには、受信した制御指令信号に従って照明用機器を制御し、自局宛でないと判断したときには、受信した制御指令信号を前記子側無線通信部から前記第１キャリアの周波数とは相違する第２のキャリアにより他の子局へ無線送信させる制御部を有する子局と、
を具備し、
前記第２のキャリアの通信可能領域にある複数の子局同士毎に通信グループをそれぞれ形成し、各通信グループ内の少なくとも一つの子局を前記制御局と無線通信可能の領域に配置するとともに、各通信グループ同士を第２キャリアで相互に通信不能の領域にそれぞれ離間配置したことを特徴とする照明制御システム。
【請求項２】
照明用機器を制御するための制御指令信号に、その照明用機器を特定するための識別符信号を付して所要周波数の第１のキャリアで無線送信する双方向通信可能の親側無線通信部を有する制御局と、
この親側無線通信部から制御指令信号を受信する双方向通信可能の中継無線通信部、この中継無線通信部により受信した制御指令信号の識別符号が自局の通信グループに属する子局宛であるか否かを識別し、自局の通信グループの子局宛であると判断したときに、受信した制御指令信号を前記中継無線通信部から前記第１キャリアの周波数とは相違する第２のキャリアにより他の子局へ無線送信させる中継制御部を有する中継局と、
前記中継無線通信部から制御指令信号を受信する双方向通信可能の子側無線通信部、この子側無線通信部により受信した制御指令信号の識別符号が自局宛であるか否かを識別し、自局宛であると判断したときに、受信した制御指令信号に従って照明用機器を制御する制御部を有する子局と、
前記第２のキャリアの通信可能領域にあって、前記中継局とこの中継局と同一の通信グループに属する複数の子局とにより通信グループをそれぞれ形成し、各通信グループ内の中継局を前記第１のキャリアによる前記制御局と無線通信可能の領域に配置するとともに、各通信グループ同士を第２キャリアで相互に通信不能の領域にそれぞれ離間配置したことを特徴とする照明制御システム。
【請求項３】
前記制御局は、前記第１のキャリアによる無線送信を開始する前に、前記親側無線通信部が第１のキャリアを受信中であるか否かを検出し、受信中でないと判断したときには、第１のキャリアによる無線送信を開始させ、受信中であると判断したときには、この第１のキャリアによる無線送信の開始を所要時間待機させる制御手段、
を具備していることを特徴とする請求項１または２記載の照明制御システム。
【請求項４】
前記子局の制御部は、前記第２のキャリアによる無線送信を開始する前に、前記子側無線通信部が第２のキャリアを受信中であるか否かを検出し、受信中でないと判断したときには、第２のキャリアによる無線送信を開始させ、受信中であると判断したときには、この第２のキャリアによる無線送信の開始を所要時間待機させる制御手段、
を具備していることを特徴とする請求項１または２記載の照明制御システム。
【請求項５】
前記照明用機器がセンサであり、
前記子局の制御部は、このセンサにより検出された検出信号を、前記第１または第２のキャリアにより前記子側無線通信部から無線送信させる制御手段、
を具備していることを特徴とする請求項１，３，４のいずれか一記載の照明制御システム。
【請求項６】
前記照明用機器がセンサであり、
前記子局の制御部は、このセンサにより検出された検出信号を、前記第２のキャリアにより前記子側無線通信部から無線送信させる制御手段を有し、
前記中継局の制御部は、前記子局からのセンサ検出信号を前記第１のキャリアにより前記中継無線通信部から無線送信させる制御手段を有することを特徴とする請求項２記載の照明制御システム。
【請求項７】
前記子局は、モジュール化されて照明用機器に配設されていることを特徴とする請求項１ないし６のいずれか一記載の照明制御システム。
【発明の詳細な説明】
【技術分野】
【０００１】
本発明は、複数の照明用機器を近距離無線により遠隔制御する照明制御システムに関する。
【背景技術】
【０００２】
従来から、ビル等建物全体の多くの場所に配置されている複数の照明器具を、建物コンピュータ等の中央制御装置（中央ノード）により無線で集中制御する制御システムが知られている（例えば、特許文献１，２参照）。
【０００３】
この制御システムは、建物コンピュータ等の中央制御装置から、制御しようとする照明器具のアドレスを付加した制御指令信号を、部屋照明調節器を備えた第１のトランシーバに無線送信し、受信したトランシーバが自局宛のアドレスであると判断したときは、そのトランシーバに設けた部屋照明調節器を制御指令信号に従って制御するものである。一方、受信した第１のトランシーバが自局宛のアドレスでないと判断したときは、そのアドレスを付加した制御指令信号を自局よりも下位のトランシーバへ順次無線中継して行き、制御指令信号のアドレスと一致したアドレスを有するトランシーバが受信したときに、そのトランシーバが自局の部屋照明調節器を制御指令信号に従って制御する。
【０００４】
そして、中央制御装置から制御指令信号を第１のトランシーバに無線送信する際のキャリア（搬送波）と、この第１のトランシーバから第２以下の下位のトランシーバへ順次無線中継するキャリアの周波数とが同一であり、１つの周波数のキャリアしか使用しないので、電波の使用周波数の節約を図ることができる。
【特許文献１】特表平１０−５０５７３３号公報
【特許文献２】特表平１１−５０１４９１号公報
【発明の開示】
【発明が解決しようとする課題】
【０００５】
しかしながら、このような従来の無線制御システムでは、中央制御装置から第１のトランシーバに無線送信される制御指令信号のキャリアと、第１のトランシーバから第２以下の下位のトランシーバに順次無線中継される制御指令信号のキャリアとが同一の周波数であるので、キャリアの同一周波数による混信や雑音増大等を避けるために中央制御装置から第１のトランシーバに無線送信する際は、第１のトランシーバから下位のトランシーバへの無線中継を停止させて待機させなければならない。また、その逆に下位のトランシーバへ制御信号を無線中継している場合には、中央制御装置から第１のトランシーバへの無線送信を中止させて待機しなければならず、待機回数が多いうえに、待機時間も長くなるという課題がある。
【０００６】
さらに、中央制御装置からの制御指令信号を下位のトランシーバに順次無線中継する系統が複数並設されている場合にも、これら複数系統で同時に無線中継すると、混信してしまうので、１系統ずつ順次無線中継させ、その間他の系統は待機しなければならず、さらに待機回数が多いうえに、待機時間が長いという課題がある。
【０００７】
このために、同一系統における複数の部屋照明調節器の制御開始から制御完了までに時間がかかり、一斉に制御し難いという課題がある。
【０００８】
本発明はこのような事情を考慮してなされたもので、照明用機器を制御するための制御信号を無線通信する際の待機回数が少ないうえに待機時間が短く、照明用機器の制御開始から完了までの時間が短い照明制御システムを提供することを目的とする。
【課題を解決するための手段】
【０００９】
請求項１に係る発明は、照明用機器を制御するための制御指令信号に、その照明用機器を特定するための識別符号を付して所要周波数の第１のキャリアで無線送信する双方向通信可能の親側無線通信部を有する制御局と、この親側無線通信部から制御指令信号を受信する双方向通信可能の子側無線通信部、この子側無線通信部により受信した制御指令信号の識別符号が自局宛であるか否かを識別し、自局宛であると判断したときには、受信した制御指令信号に従って照明用機器を制御し、自局宛でないと判断したときには、受信した制御指令信号を前記子側無線通信部から前記第１キャリアの周波数とは相違する第２のキャリアにより他の子局へ無線送信させる制御部を有する子局と、を具備し、前記第２のキャリアの通信可能領域にある複数の子局同士毎に通信グループをそれぞれ形成し、各通信グループ内の少なくとも一つの子局を前記制御局と無線通信可能の領域に配置するとともに、各通信グループ同士を第２キャリアで相互に通信不能の領域にそれぞれ離間配置したことを特徴とする照明制御システムである。
【００１０】
請求項２に係る発明は、照明用機器を制御するための制御指令信号に、その照明用機器を特定するための識別符信号を付して所要周波数の第１のキャリアで無線送信する双方向通信可能の親側無線通信部を有する制御局と、この親側無線通信部から制御指令信号を受信する双方向通信可能の中継無線通信部、この中継無線通信部により受信した制御指令信号の識別符号が自局の通信グループに属する子局宛であるか否かを識別し、自局の通信グループの子局宛であると判断したときに、受信した制御指令信号を前記中継無線通信部から前記第１キャリアの周波数とは相違する第２のキャリアにより他の子局へ無線送信させる中継制御部を有する中継局と、前記中継無線通信部から制御指令信号を受信する双方向通信可能の子側無線通信部、この子側無線通信部により受信した制御指令信号の識別符号が自局宛であるか否かを識別し、自局宛であると判断したときに、受信した制御指令信号に従って照明用機器を制御する制御部を有する子局と、前記第２のキャリアの通信可能領域にあって、前記中継局とこの中継局と同一の通信グループに属する複数の子局とにより通信グループをそれぞれ形成し、各通信グループ内の中継局を、前記第１のキャリアによる前記制御局と無線通信可能の領域に配置するとともに、各通信グループ同士を第２キャリアで相互に通信不能の領域にそれぞれ離間配置したことを特徴とする照明制御システムである。
【００１１】
請求項３に係る発明は、前記制御局は、前記第１のキャリアによる無線送信を開始する前に、前記親側無線通信部が第１のキャリアを受信中であるか否かを検出し、受信中でないと判断したときには、第１のキャリアによる無線送信を開始させ、受信中であると判断したときには、この第１のキャリアによる無線送信の開始を所要時間待機させる制御手段、を具備していることを特徴とする請求項１または２記載の照明制御システムである。
【００１２】
請求項４に係る発明は、前記子局の制御部は、前記第２のキャリアによる無線送信を開始する前に、前記子側無線通信部が第２のキャリアを受信中であるか否かを検出し、受信中でないと判断したときには、第２のキャリアによる無線送信を開始させ、受信中であると判断したときには、この第２のキャリアによる無線送信の開始を所要時間待機させる制御手段、を具備していることを特徴とする請求項１または２記載の照明制御システムである。
【００１３】
請求項５に係る発明は、前記照明用機器がセンサであり、前記子局の制御部は、このセンサにより検出された検出信号を、前記第１または第２のキャリアにより前記子側無線通信部から無線送信させる制御手段、を具備していることを特徴とする請求項１，３，４のいずれか一記載の照明制御システムである。
【００１４】
請求項６に係る発明は、前記照明用機器がセンサであり、前記子局の制御部は、このセンサにより検出された検出信号を、前記第２のキャリアにより前記子側無線通信部から無線送信させる制御手段を有し、前記中継局の制御部は、前記子局からのセンサ検出信号を前記第１のキャリアにより前記中継無線通信部から無線送信させる制御手段を有することを特徴とする請求項２記載の照明制御システムである。
【００１５】
請求項７に係る発明は、前記子局は、モジュール化されて照明用機器に配設されていることを特徴とする請求項１ないし６のいずれか一記載の照明制御システムである。
【発明の効果】
【００１６】
請求項１に係る発明によれば、制御局の親側無線通信部から子局の子側無線通信部に制御信号を無線通信する第１のキャリアと、子局から同じ通信グループの他の子局へ制御信号を無線中継する第２のキャリアの周波数が相違するので、これら第１，第２のキャリアを使用する無線通信と無線中継とを混信等の悪影響を与えずに同時に行なうことができる。
【００１７】
また、複数の子局同士により形成される通信グループが複数ある場合でも、これら通信グループ同士は相互に通信不能であるので、これら通信グループ同士間で混信等他局の通信状態に影響を与えることなく、これら複数の通信グループ毎の子局同士間で同一周波数の第２キャリアをそれぞれ同時に使用することができる。
【００１８】
このために、制御局の無線通信と、各通信グループ内の子局同士の無線中継の待機回数と待機時間を減縮させることができる。
【００１９】
したがって、複数の子局にそれぞれ設けた複数の照明用機器の制御開始から完了までの時間を短縮することができ、制御の迅速性を向上させることができる。
【００２０】
また、制御局と子局が使用するキャリアが第１と第２のキャリアの２周波であるので、電波の使用周波数の節約を図ることができる。
【００２１】
請求項２に係る発明によれば、請求項１に係る発明と同様に、制御局は第１キャリアを使用し、通信グループ内では第２キャリアを使用するので、これら第１，第２キャリアを同時に使用することができる。このために、制御局の無線通信と各通信グループ内の子局同士間の無線中継の待機回数と待機時間を減少させることができる。
【００２２】
また、中継局は、制御局からの制御指令信号を子局に無線中継する機能を有し、第１，第２両キャリアによる通信機能を有するので、子局は第２キャリアによる通信機能のみを具備すればよく、第１のキャリアの受信機能を具備する必要がない。このために、子局の子側無線通信部の構成の簡単化を図ることができ、その分、コスト低減を図ることができる。
【００２３】
請求項３に係る発明によれば、制御局が第１のキャリアによる無線送信を開始する前に、この第１のキャリアが既に空中に放射されているか否かエアーチェックするので、複数の第１のキャリアの混在による混信や雑音の増大等の悪影響を未然に防止することができる。
【００２４】
請求項４に係る発明によれば、請求項３に係る発明の制御局とほぼ同様に、子局は第２のキャリアによる無線送信を開始する前に、第２のキャリアが既に空中に放射されているか否かエアーチェックするので、複数の第２のキヤリアの混在による混信や雑音の増大等の悪影響を未然に防止することができる。
【００２５】
請求項５に係る発明によれば、センサにより検出された検出信号を子局から直接第１のキャリアにより制御局へ無線送信し、または第２のキャリアにより他の子局を介して間接的に制御局へ無線送信することができる。
【００２６】
このために、制御局はセンサの検出信号を収集することができるので、例えば光センサにより照明器具の明るさ等の状態を検出することができ、調光制御を行なう際に必要なデータ等を収集することができる。
【００２７】
請求項６に係る発明によれば、請求項５に係る発明とほぼ同様にセンサの検出信号を制御局により収集することができ、照明器具の明るさ等の状態を検出することができる。
【００２８】
請求項７に係る発明によれば、一般汎用の照明用器具に子局のモジュールを配設することによりこの照明用機器を制御局により集中的に制御することができるように構成することができる。
【発明を実施するための最良の形態】
【００２９】
以下、本発明の実施形態を複数の添付図面に基づいて説明する。なお、これらの添付図面中、同一または相当部分には同一符号を付している。
【００３０】
図１は本発明の第１の実施形態に係る照明無線制御システム１の全体構成を示すシステム構成図である。
【００３１】
図１に示すように照明無線制御システム１は、近距離無線等により制御指令信号を第１のキャリアｆ１により無線送信する制御局２と、複数の通信グループ３ａ，３ｂ，…３ｎを有する。各通信グループ３ａ〜３ｎは第２のキャリアｆ２により双方向で近距離無線通信可能の複数の子局４ａ，４ｂ，…４ｎ同士の通信ネットワークにより形成されている。また、これら複数の通信グループ３ａ〜３ｎ同士は第２のキャリアｆ２により相互に通信できない領域に離間配置されて各々の通信エリア５ａ，５ｂ，…５ｎが形成されている。さらに、各通信グループ３ａ，３ｂ，…３ｎは、これら通信グループ３ａ〜３ｎにそれぞれ属する少なくとも１台の子局、例えば４ａを、制御局２と第１のキャリアｆ１で通信可能の領域内に配置している。
【００３２】
図２に示すように子局４ａ〜４ｎは、アンテナ６ａを有する双方向通信可能の子側無線通信部６と、この子側無線通信部６等を制御する制御部７とを有し、例えばＬＳＩ（大規模集積回路）等によりモジュール化されている。制御部７には照明用機器８の一例として照明器具８ａのインバータ部８ｂを電気的に接続し、制御部７により照明器具８ａのオンオフ制御や調光制御等、または壁スイッチ等スイッチ類のオンオフ制御等の所要の制御を行なうようになっている。制御部７は例えばＲＡＭ，ＲＯＭ，ＣＰＵを備えたマイクロプロセッサから構成されている。
【００３３】
なお、図３に示すように子局４ａ〜４ｎの照明用機器としては、図２で示す照明器具８ａに代えて、照明器具８ａの明るさや室内の明るさ等を検出する光センサや人の存否等を検出する人感センサ等のセンサ類８ｃ、壁スイッチ等のスイッチ類でもよい。
【００３４】
図１で示す制御局２は、図示しない親側無線通信部と制御部とを有する。親側無線通信部はアンテナを有し、制御部による制御に従って第１のキャリｆ１により制御指令信号を所要の送信出力で送信する双方向通信可能の無線通信機能を有する。
【００３５】
制御部は例えばＣＰＵ，ＲＯＭ，ＲＡＭを備えたマイクロプロセッサ等からなり、子局４ａ〜４ｎの通信グループ３ａ〜３ｎの区分（所属）と、これら通信グループ３ａ〜３ｎ内で使用される第２のキャリアｆ２の周波数と、制御局２が使用する第１のキャリアｆ１の周波数と、を予め設定してＲＡＭやＲＯＭ等のメモリに記録しており、これら第１，第２のキャリアｆ１，ｆ２を監理している。
【００３６】
また、制御部は全子局４ａ〜４ｎを特定するための識別符号であるアドレスをＲＡＭやＲＯＭ等のメモリに記録しており、制御指令信号には制御しようとする子局４ａ〜４ｎのアドレスを付加して親側無線通信部から第１のキャリアにより送信させるようになっている。
【００３７】
さらに、制御部は第１のキャリアｆ１をチェックするエアーチェック手段を具備している。
【００３８】
図４はこのエアーチェック手段のフローチャートを示しており、図中Ｓ１〜Ｓ３はフローチャートのステップを示している。すなわち、エアーチェック手段は、まずＳ１で、第１のキャリアｆ１を親側無線通信部から送信させる前に、親側無線通信部のアンテナがこの第１のキャリアｆ１を他から受信しているか否かを検出する。ここで、アンテナが第１のキャリアｆ１を受信中であると判断したときは、ＹｅｓとしてＳ２へ進み、ここで、第１のキャリアｆ１による制御指令信号の送信をランダム時間待機する。ここでランダム時間とは乱数表から乱数を取得し、この乱数に基づいて設定された待機時間である。
【００３９】
一方、親側無線通信部のアンテナが第１のキャリアｆ１を受信中でないとき、すなわち、Ｓ１でＮｏのときは、Ｓ３で第１のキャリアｆ１に制御指令信号を重畳させて親側無線通信部から送信させる。
【００４０】
一方、図２で示す子局４ａ〜４ｎの制御部７は、例えばＣＰＵ，ＲＯＭ，ＲＡＭを備えたマイクロプロセッサ等からなり、アドレス検出手段、中継手段、照明用機器制御手段、第２キャリアｆ２のエアーチェック手段を具備している。
【００４１】
図５はこの子局４ａ〜４ｎの制御部７が制御局２から第１のキャリアｆ１で受信するときの機能を示すフローチャートであり、図中Ｓ１１〜Ｓ１９はフローチャートのステップを示す。
【００４２】
まずＳ１１で、制御部７は、制御局２から制御指令信号を第１のキャリアｆ１で受信すると、ＲＡＭ等のメモリに一旦記憶させてから、次のＳ１２で、アドレス検出手段により、この受信した制御指令信号に付加されているアドレスを読み込み、これが自局のアドレスと一致するか否かを判断する。
【００４３】
ここでＹｅｓのときは、Ｓ１３で、照明用機器制御手段により、制御指令信号の制御指令内容を解読し、その制御指令内容に従った制御を指定されたアドレスの照明用機器８に実行する。
【００４４】
一方、Ｓ１２でＮｏのとき、つまり、受信した制御指令信号のアドレスが自局のアドレスではないと、アドレス検出手段により検出したときには、次のＳ１４で、受信データ（制御指令信号）を自局の通信グループ３ａ〜３ｎにそれぞれ属する中継すべき子局４ｂ〜４ｎがあるか否かを判断し、Ｎｏ、すなわち、中継すべき子局４ｂ〜４ｎが無いと判断したときは、Ｓ１５で、ＲＡＭに一旦記憶されている受信データの廃棄、つまり制御指令信号を消去する。
【００４５】
一方、Ｓ１４でＹｅｓのときは、Ｓ１６で、第２キャリアエアーチェック手段により、自局がこれから送信しようとする第２キャリアｆ２を他局から自局の子側無線通信部６が受信中であるか否かを検出するエアーチェックを行ない、受信中であるときはＳ１７へ進み、受信中でないときはＳ１８へ進む。
【００４６】
Ｓ１７では、第２のキャリアｆ２の混信等を防止するために、第２のキャリアｆ２による受信データの送信、つまり中継をせずに、ランダム時間待機する。このランダム時間は乱数表から得た乱数に基づいて演算された待機時間である。
【００４７】
一方、Ｓ１８では、第２のキャリアｆ２が飛来していないので、受信データ、すなわち受信した制御指令信号をそのまま次に中継すべき子局４ｂ〜４ｎへ送信して終了する。
【００４８】
次に、この照明無線制御システムの作用を説明する。
【００４９】
まず、制御局２の親側無線通信部から、照明器具８ａのオンオフ制御や調光制御、または壁スイッチ等スイッチ類のオンオフ制御等照明用機器の制御方法を指令した制御指令信号に、その制御対象機器を特定する識別符号であるアドレスを付加した信号を重畳した第１のキャリアｆ１を無線送信する。すると、この第１のキャリアｆ１と通信可能領域にある各通信グループ３ａ〜３ｎ内の所要の子局、例えば４ａの子側無線通信部６がそれぞれ受信する。
【００５０】
この制御指令信号を重畳した第１のキャリアｆ１を受信した各通信グループ３ａ〜３ｎの各子局４ａは、この受信した制御指令信号のアドレスが自局の通信グループ３ａ〜３ｎに属する子局４ｂ〜４ｎの各アドレス中に含まれているか否かをアドレス検出手段により判断し、そのアドレスを有する通信グループ３ａ〜３ｎに属する子局４ｂ〜４ｎのみが、この受信したデータ、すなわち制御指令信号を第２のキャリアｆ２に重畳して次の子局４ｂ〜４ｎへ中継手段によりそのまま送信（中継）する。なお、その中継の前には、第２のキャリアエアーチェック手段により、既に第２のキャリア２ｆが飛来していないことを確認してから行なわれる。
【００５１】
そして、この制御指令信号を受信した子局４ａ〜４ｎの中でアドレスが一致した単数または複数の子局４ａ〜４ｎは、その照明用機器制御手段により制御指令信号を解読し、その制御指令信号に従って照明器具８ａや壁スイッチ等のスイッチ類等の照明用機器８を制御させる。
【００５２】
したがって、この照明無線制御システム１によれば、制御局２が使用する第１のキャリアｆ１と、各通信グループ３ａ〜３ｎ内の子局４ａ〜４ｎ同士の無線通信で使用される第２のキャリアｆ２とは、周波数が相違するので、制御局２の第１のキャリアと、子局４ａ〜４ｎ同士の第２のキャリアｆ２とを同時に使用することができるので、一方が他方を待機する必要がない。
【００５３】
また、複数の通信グループ３ａ〜３ｎ同士は相互に無線通信できない領域に離間配置されているので、各々の通信グループ３ａ〜３ｎ内では第２のキャリアｆ２を同時に使用した場合でも混信や雑音増大等の悪影響を与えることを防止することができる。
【００５４】
このために、各通信グループ３ａ〜３ｎの子局４ａ〜４ｎの無線通信の待機回数と待機時間とを短縮することができる。
【００５５】
一方、図３に示すように照明用機器８が光センサ等のセンサ８ｃである場合には、このセンサ８ｃにより検出された明るさ等の検出値や検出状態等のセンサ信号が子局４ａ〜４ｎの制御部７により読み込まれ、子側無線通信部６において、第１または第２のキャリアｆ１，ｆ２に重畳され、第１，第２のキャリアｆ１，ｆ２のエアーチェックの後にアンテナ６ａから送信される。この子局４ａ〜４ｎが制御局２との第１のキャリアｆ１の通信可能領域にある子局４ａである場合には、この子局４ａから第１のキャリアｆ１により直接制御局２へ送信され、受信される。
【００５６】
また、子局４ａ〜４ｎが第１キャリアｆ１の通信可能領域にある子局４ａ以外の場合は、センサ信号が他の子局４ａ〜４ｎの中継を介して制御局２へ送信される。制御局２の制御部は、このセンサ信号等の受信データをＲＡＭ等のメモリに記録し、制御指令データを作成する際の参照データとして利用することができる。
【００５７】
したがって、複数の子局４ａ〜４ｎにそれぞれ設けた複数の照明用機器の制御開始から完了までの時間を短縮することができ、制御の迅速性を向上させることができる。
【００５８】
また、制御局２と子局４ａ〜４ｎが使用するキャリアが第１と第２のキャリアの２周波であるので、電波の使用周波数の節約を図ることができる。
【００５９】
また、制御局２と子局４ａ〜４ｎは、第１，第２のキャリアｆ１，ｆ２による無線送信を開始する前に、この第１のキャリアが既に空中に放射されているか否かそれぞれエアーチェックするので、複数の第１，第２のキャリアの混在による混信や雑音の増大等の悪影響を未然に防止することができる。
【００６０】
さらに、この照明無線制御システム１によれば、センサ８ｃにより検出された検出信号を子局４ａから直接第１のキャリアにより制御局２へ無線送信し、または第２のキャリアにより他の子局４ｂ〜４ｎを介して間接的に制御局２へ無線送信することができる。
【００６１】
このために、制御局２はセンサ８ｃの検出信号を収集することができるので、例えば光センサにより照明器具８ａの明るさ等の状態を検出することができ、調光制御を行なう際に必要なデータ等を収集することができる。
【００６２】
図６は本発明の第２の実施形態に係る照明無線制御システム１Ａの全体構成を示すシステム構成図である。この照明無線制御システム１Ａは図１で示す照明無線制御システム１における各通信グループ３ａ〜３ｎの子局４ａを中継専用の中継局９にそれぞれ置換した点に特徴がある。これ以外の構成は照明無線制御システム１とほぼ同様であるので、その重複した説明は省略または簡単化している。
【００６３】
すなわち、各中継局９は制御対象の照明用機器８を具備していない点で前記子局４ａとは相違するが、この子局４ａと同様に、制御局２との第１のキャリアｆ１による無線通信可能領域に配置され、アドレス検出手段、中継手段、第１，第２キャリアｆ１，ｆ２のエアーチェック手段を具備している。
【００６４】
つまり、中継局９は制御局２から受信した制御指令信号のアドレスを読み出し、そのアドレスが自局の属する通信グループ３ａ〜３ｎ内の子局４ｂ〜４ｎのアドレスの中にあるか否かを判断するアドレス検出手段を有する。
【００６５】
また、中継局９は、アドレス検出手段により受信した制御指令信号のアドレスが自局の通信グループ３ａ〜３ｎの子局４ｂＡ〜４ｎＡのアドレス中にあると判断したときに、この受信データ（制御指令信号）を自局の通信グループ３ａ〜３ｎの次の子局４ｂＡ〜４ｎＡに第２のキャリアｆ２により転送する中継手段と、を具備している。
【００６６】
したがって、制御局２からの制御指令信号をそのアドレスに一致した子局４ｂＡ〜４ｎＡへ送信することにより、照明用機器８を制御指令信号に従って制御することができる。
【００６７】
また、この照明無線制御システム１Ａにおいても、前記照明無線制御システム１と同様に、制御局２の第１のキャリアｆ１の使用と、各通信グループ３ａ〜３ｎ内での第２のキャリアｆ２の使用と、を同時に行なうことができるうえに、通信グループ３ａ〜３ｎ毎の第２のキャリアｆ２の使用を同時に行なうことができるのでろ、これら第１，第２のキャリアｆ１，ｆ２の送受信の待機回数と待機時間とを短縮することができる。
【００６８】
したがって、子局４ｂＡ〜４ｎＡの照明器具８ａ等照明用機器８の制御開始から完了までの時間を短縮させることができるので、照明用機器８の制御の迅速性を向上させることができる。
【００６９】
さらに、中継局９は制御局２からの制御指令信号を同一通信グループ３ａ〜３ｎ内の全子局４ｂＡ〜４ｎＡに中継する一方、各子局４ｂＡ〜４ｎＡからのセンサ信号等を制御局２へ転送（中継）するので、全子局４ｂＡ〜４ｎＡには、前記照明無線制御システム１の子局４ａ〜４ｎとは相違して中継手段を削除することができる。また、その分、コスト低減を図ることができる。
【図面の簡単な説明】
【００７０】
【図１】本発明の第１の実施形態に係る照明無線制御システムの全体構成を示すシステム構成図。
【図２】図１で示す子局の構成例を示すブロック図。
【図３】図１で示す子局の他の構成例を示すブロック図。
【図４】図１で示す制御局の制御指令信号を送信するときの作用を示すフローチャート。
【図５】図１等で示す子局の制御指令信号を受信するときの作用を示すフローチャート。
【図６】本発明の第２の実施形態に係る照明無線制御システムの全体構成を示すシステム構成図。
【符号の説明】
【００７１】
１，１Ａ…照明無線制御システム、２…制御局、３〜３ｎ…通信グループ、４ａ〜４ｎ，４ｂＡ〜４ｎＡ…子局、５ａ〜５ｎ…通信エリア、６…子側無線通信部、７…制御部、８…照明器具、８ｂ…センサ、９…中継局。
【図１】
2006238371.tif 000003
【図２】
2006238371.tif 000004
【図３】
2006238371.tif 000005
【図４】
2006238371.tif 000006
【図５】
2006238371.tif 000007
【図６】
2006238371.tif 000008